【手続補正書】
【提出日】平成20年6月5日(2008.6.5)
【手続補正１】
【補正対象書類名】明細書
【補正対象項目名】特許請求の範囲
【補正方法】変更
【補正の内容】
【特許請求の範囲】
【請求項１】  特に脊柱のためのインプラントであって、
骨と接触する面と少なくとも１つの開口とを有するジョイント部材であって、前記開口の内側円周に溝が形成されているジョイント部材と、
前記溝と前記接触面との間で、前記開口に収容可能な骨アンカーと、
前記溝内に設けられた割リングであって、この割リングは、前記開口に前記アンカー要素を挿入する際に広がり、前記骨アンカーの頭部と直接接触して、前記開口中に前記骨アンカーを保持する割リングと
を含むインプラント。
【請求項２】  前記ジョイント部材がプレートを含む請求項１記載のインプラント。
【請求項３】  前記開口が球形受座を含む請求項２記載のインプラント。
【請求項４】  前記アンカーが、前記球形受座と接触し得る相補的球形部を含む請求項３記載のインプラント。
【請求項５】  前記アンカーがドライブ部分を含む請求項１記載のインプラント。
【請求項６】  前記割リングが、その柔軟性を最適化するために、可変性断面を有する請求項１記載のインプラント。
【請求項７】  前記割リングは、各開口において特有のものである請求項１記載のインプラント。
【請求項８】  前記プレートは、解剖学上の湾曲を有する請求項１記載のインプラント。
【請求項９】  前記少なくとも１つの開口が、前記溝と前記プレートの底面との間に位置する部分的に球形な受座部を有し、前記面に向けて開き、前記スクリューの軸部を受容する請求項１記載のスクリュー保持システム。
【請求項１０】  前記スクリューは部分的に球形な頭部を有し、この頭部は、前記開口の前記球形受座部と係合するために、前記軸部から前記上向き面に向かって延びる請求項９記載のスクリュー保持システム。
【請求項１１】  前記溝は、前記プレートの底面に最も近接する下部面と上部傾斜面とを有し、この傾斜面は前記プレートの上部面に向かって延びているとともに、前記開口の中心軸に向かって内部へと延びている請求項９記載のスクリュー保持システム。
【請求項１２】  前記溝の下部面は、一般にフラットであり、一般に前記軸に対し垂直に延びる請求項１１記載のスクリュー保持システム。
【請求項１３】  前記部分的に球形な頭部が前記部分的球形部に嵌められている場合、前記溝下部面は、前記スクリュー上の上向き面よりも、前記プレート上部面により近く位置している請求項１１記載のスクリュー保持システム。
【請求項１４】  骨プレート用のスクリュー保持システムであって、このシステムは、骨プレートを含み、この骨プレートは、スクリューを受容するための開口を少なくとも１つ有し、この開口は、トップ面から、前記プレートの底部の骨と接触する面まで軸に沿って延びるとともに、前記スクリューのヘッドを受容するための第一直径の領域を有し、この領域は、凹状溝を含み、この溝は、前記第一直径より大きい深さを有し、
このシステムは、前記第一直径より小さい直径及び上向き面を備えたヘッドを有する前記スクリューを含み、
更にこのシステムは、前記溝中に設けられた拡張可能なリングを含み、このリングは、ゆるんで拡張していない場合は、前記開口の前記第一直径より大きいが、前記溝深さより小さい外側直径と前記スクリューヘッド直径より小さい内側直径とを有しており、前記リングは、前記スクリューヘッドに接触すると、前記溝中で拡張するので、前記内側直径が前記スクリューヘッド直径にまで拡大すると、前記リング外側直径は、前記溝深さと同じか又はそれより小である、骨プレート用のスクリュー保持システム。
【請求項１５】  前記スクリューヘッドは、前記スクリュー軸部から前記スクリューの上向き面に向かって延びる部分的に球形な面を有する請求項１４記載のスクリュー保持システム。
【請求項１６】  前記スクリューヘッド及び軸部は、縦軸に沿って延び、かつ前記スクリューヘッドはドライブ部を含む請求項１５記載のスクリュー保持システム。
【請求項１７】  前記スクリュー軸部は、前記縦軸に沿って延びる螺子溝のついた内部穴を含む、請求項１６記載のスクリュー保持システム。
【請求項１８】  前記軸部は、螺子切り要素をその上に備えた先端部を有する、請求項１６記載のスクリュー保持システム。
【請求項１９】  前記拡張可能なリングは割リングである請求項１４記載のスクリュー保持システム。
【請求項２０】  前記割リングは、前記プレートのトップ面に面するリングトップ面から前記底面に面するリング底面へと向かうにつれ、前記リングの中心軸に向けて傾く内側直径を有する請求項１９記載のスクリュー保持システム。
【請求項２１】  前記リングトップ面は、前記外側直径に向かうにつれ、前記リング底面に向けて傾斜している請求項２０記載のスクリュー保持システム。
【請求項２２】  前記リングトップ傾斜面は、前記溝の上部傾斜面に対応する請求項２１記載のスクリュー保持システム。
【請求項２３】  前記リングの内側と外側直径との間の間隔は変化する請求項１４記載のスクリュー保持システム。
【請求項２４】  前記変化は、前記外側円周上の少なくとも１つの切欠き区域の結果である、請求項２３記載のスクリュー保持システム。
【請求項２５】  前記変化は、前記外側円周に離間された少なくとも３個の切欠きの結果である、請求項２４記載のスクリュー保持システム。
【請求項２６】  前記プレート開口は、前記溝から前記プレート底面に向けて位置する受座部を有する請求項１４記載のスクリュー保持システム。
【請求項２７】  前記スクリューヘッドでは、軸部上の前記上向き面と前記軸部との間に、前記プレート受座部に接触するための座部が位置する請求項２６記載のスクリュー保持システム。
【請求項２８】  前記スクリューヘッドは、前記上向き面下の箇所から前記軸部に向けて内側に延びる傾斜面を含む請求項２７記載のスクリュー保持システム。
【請求項２９】  前記スクリュー座部が前記プレート受座部と係合する場合、前記スクリュー上向き面は、前記溝の下部面よりプレート底部により近く位置する請求項２８記載のスクリュー保持システム。
【請求項３０】  前記開口は、前記プレート底面に角度付き切欠きを含み、これにより、前記スクリューのヘッドと軸部とを前記切欠きに向けて回転させることができる請求項１４記載のスクリュー保持システム。
【請求項３１】  前記切欠きは、約２０°までの回転を許す請求項３０記載のスクリュー保持システム。
【請求項３２】  前記拡張可能なリングは、１００ＧＰａ未満のモジュラスを有するチタン合金製の割リングである請求項１４記載のスクリュー保持システム。
【請求項３３】  アンカーをプレート中に保持するための保持システムであって、
このシステムは、少なくとも１つの貫通穴を備えたトップ面及び底面を有するプレートを含み、前記穴中に拡張可能な内面を備えた固定要素が設けられ、この内部固定要素は、第一断面から第二のより大きい断面へと弾力的に拡張しうる内面を有し、
このシステムは、前記穴に挿入するアンカーを含み、このアンカーは、前記プレートトップ面から前記固定要素内を通り、前記アンカーは、前記第一断面より大きく、かつ前記第二断面と同じか又は小さい断面を備えた部分を有し、
前記固定要素の内面と前記アンカーの一部は係合し、かつ前記アンカーが前記固定要素内を通るにつれ、前記固定要素の前記内面は拡大する保持システム。
【請求項３４】  前記固定要素は、前記内面を含む外側直径及び内側直径を有する割リングである請求項３３記載の保持システム。
【請求項３５】  前記割リングは、前記リングの中心軸に向けて傾斜した内側直径を有し、その傾斜は、前記プレートトップ面に向き合うリングトップ面から前記プレート底面に向き合うリング底面へと向かう請求項３４記載のスクリュー保持システム。
【請求項３６】  前記リングトップ面は、前記リングの外側直径に向かうにつれ、前期底面に向かって傾斜している請求項３５記載のスクリュー保持システム。
【請求項３７】  前記傾斜トップ面は、前記穴中に形成された溝の傾斜上面に対応する請求項３６記載のスクリュー保持システム。
【請求項３８】  前記リングの内側と外側直径との間の間隔は変化する請求項３６記載のスクリュー保持システム。
【請求項３９】  前記変化は、前記外側円周上の少なくとも３つの切欠き区域の結果である請求項３８記載のスクリュー保持システム。
【請求項４０】  前記変化は、前記外側円周上に離間させた少なくとも５個の切欠き区域の結果である請求項３９記載のスクリュー保持システム。
【請求項４１】  プレートからスクリューを外す工具であって、
前記プレートは、ドライブヘッドを備えたスクリューを受容する少なくとも１つの穴を有し、この穴は、軸に沿って、前記プレートのトップ面から底面へと延び、かつ第一直径を有する部分と、この第一直径より大きい直径の凹状溝を含む部分を有し、その溝中に拡張可能なリングが設けられ、このリングは、緩んで拡張していない場合は、スクリューヘッドの最大直径より小さい内側直径を有し、スクリューヘッドに接触すると、前記リングは溝内で拡張され、その結果、リング内側直径が前記スクリューヘッドの直径にまで拡張して、リング外側直径が、前記溝の直径より小さいか又は等しくなり、前記スクリューヘッドが、前記リングを通り抜けることができ、
この工具は、前記ドライブを前記スクリューヘッドに係合させるための先端を有する駆動軸を含み、該先端は前記リングの内側直径に係合するための案内面を有し、かつ、前記リングをその溝内で拡張させ、その結果、前記スクリューヘッドを穴から後退させる道具。
【請求項４２】  前記駆動軸には、カニューレが挿入されている請求項４１記載の道具。
【請求項４３】  前記スクリューは、前記カニューレ挿入部と一直線になっている螺子穴を含む請求項４２記載の道具。
【請求項４４】  螺子山付きの軸を有するスクリュー抜取り機を更に含み、前記抜取り軸は、前記カニューレが挿入された駆動軸内に摺動可能に受容され、前記螺子山が前記スクリューの螺子と係合する請求項４３記載の道具。